(57)【要約】本発明の一つの態様の製氷機は、冷凍庫内に配置可能で、電源が供給されることで製氷皿に注水された水を冷凍室の冷気によって凍結して氷を作り且つ氷を排出可能な製氷機であって、氷を製造する製氷皿と、製氷皿から氷を取り出す排氷機構部と、製氷皿の前後方向の前側に取り付けられ、排氷機構部を駆動する駆動部と、光を射出する照明部と、を備え、照明部は、前後方向において後側に進む向きに光を射出する。
2017213141.tif 000002
【特許請求の範囲】
【請求項１】
冷凍庫内に配置可能で、電源が供給されることで製氷皿に注水された水を冷凍室の冷気によって凍結して氷を作り且つ氷を排出可能な製氷機であって、  氷を製造する製氷皿と、  前記製氷皿から氷を取り出す排氷機構部と、  前記製氷皿の前後方向の前側に取り付けられ、前記排氷機構部を駆動する駆動部と、  光を射出する照明部と、  を備え、  前記照明部は、前記前後方向において後側に進む向きに光を射出する、製氷機。
【請求項２】
前記照明部から射出される光の向きは、前記前後方向に対して傾いている、請求項１に記載の製氷機。
【請求項３】
前記照明部は、光源と、前記光源が取り付けられた回路基板と、を備え、  前記回路基板の前記光源が取り付けられた取付面は、前記後側を臨む、請求項１または２に記載の製氷機。
【請求項４】
前記取付面は、前記前後方向と直交する面に対して傾いている、請求項３に記載の製氷機。
【請求項５】
前記照明部は、光源と、前記光源から射出された光が入射される光学部材と、を備え、  前記光学部材は、入射した光を前記前後方向において前記後側に進む向きに射出する、請求項１または２に記載の製氷機。
【請求項６】
前記光学部材は、フレネルレンズの少なくとも一部を含む、請求項５に記載の製氷機。
【請求項７】
前記照明部は、前記光源が取り付けられた回路基板をさらに備え、  前記回路基板の前記光源が取り付けられた取付面は、前記前後方向に沿って配置されている、請求項５または６に記載の製氷機。
【請求項８】
前記光源は、複数設けられ、  複数の前記光源は、前記前後方向と直交する上下方向に間隔を空けて配置され、  前記光源は、発光ダイオードである、請求項３から７のいずれか一項に記載の製氷機。
【請求項９】
前記照明部は、前記駆動部に設けられている、請求項１から８のいずれか一項に記載の製氷機。
【請求項１０】
前記照明部は、前記駆動部における前記前後方向に沿った側面に設けられている、請求項９に記載の製氷機。
【請求項１１】
前記冷凍庫の開閉状態を検出するセンサをさらに備え、  前記照明部は、前記センサによって前記冷凍庫が開状態であることが検出された場合に光を射出する、請求項１から１０のいずれか一項に記載の製氷機。
【請求項１２】
請求項１から１１のいずれか一項に記載の製氷機を備える冷凍庫。
【請求項１３】
前後方向の前側に開口部を有する箱状の冷凍庫本体と、  前記開口部を開閉可能な扉と、  前記冷凍庫本体の内側面のうち、前記前後方向および上下方向の両方と直交する左右方向の一方側の側面に取り付けられた製氷機と、  を備え、  前記製氷機は、    氷を製造する製氷皿と、    前記製氷皿から氷を取り出す排氷機構部と、    前記製氷皿の前記前側に取り付けられ、前記排氷機構部を駆動する駆動部と、    光を射出する照明部と、  を備え、  前記照明部は、光源と、前記光源が取り付けられた回路基板と、を備え、且つ、前記前後方向において後側に進む向きに光を射出し、  前記回路基板の前記光源が取り付けられた取付面は、前記後側を臨み、  前記上下方向に沿って視て、前記取付面における前記左右方向の他方側の端部と前記開口部における前記左右方向の他方側の端部とを結ぶ第１仮想線の前記左右方向に対する傾きは、前記光源と前記開口部における前記左右方向の他方側の端部とを結ぶ第２仮想線の前記左右方向に対する傾き以下である、冷凍庫。
【発明の詳細な説明】
【技術分野】
【０００１】
本発明は、製氷機、および冷凍庫に関する。
【背景技術】
【０００２】
冷凍庫に設置される自動製氷装置が知られている。例えば、特許文献１には、製氷皿で製氷された氷を排氷装置によって氷貯蔵タンク内に落下させる自動製氷装置が記載されている。
【先行技術文献】
【特許文献】
【０００３】
【特許文献１】特開２０１２−１１７７００号公報
【発明の概要】
【発明が解決しようとする課題】
【０００４】
ところで、上記のような自動製氷装置が設置される冷凍庫として、冷凍庫内に照明が設置されていない冷凍庫がある。このような冷凍庫の場合、使用者が冷凍庫内を視認しにくい場合があり、使用者の利便性が低下する問題があった。  【０００５】
この問題に対して、自動製氷装置に照明部を設け、照明部から射出される光によって冷凍庫内を照らす構成が考えられる。しかし、この構成の場合、照明部の取り付け方によっては、照明部から射出された光が使用者の目に直接届くため冷凍庫内が眩しくなり過ぎて、使用者の利便性を十分に向上できない場合があった。  【０００６】
本発明は、上記問題点に鑑みて、冷凍庫内が眩しくなり過ぎることを抑制しつつ、冷凍庫内を照らすことができる照明部を備える製氷機、およびそのような製氷機を備える冷凍庫を提供することを目的の一つとする。
【課題を解決するための手段】
【０００７】
本発明の製氷機の一つの態様は、冷凍庫内に配置可能で、電源が供給されることで製氷皿に注水された水を冷凍室の冷気によって凍結して氷を作り且つ氷を排出可能な製氷機であって、氷を製造する製氷皿と、前記製氷皿から氷を取り出す排氷機構部と、前記製氷皿の前後方向の前側に取り付けられ、前記排氷機構部を駆動する駆動部と、光を射出する照明部と、を備え、前記照明部は、前記前後方向において後側に進む向きに光を射出する。  【０００８】
本発明の冷凍庫の一つの態様は、前後方向の前側に開口部を有する箱状の冷凍庫本体と、前記開口部を開閉可能な扉と、前記冷凍庫本体の内側面のうち、前記前後方向および上下方向の両方と直交する左右方向の一方側の側面に取り付けられた製氷機と、を備え、前記製氷機は、氷を製造する製氷皿と、前記製氷皿から氷を取り出す排氷機構部と、前記製氷皿の前記前側に取り付けられ、前記排氷機構部を駆動する駆動部と、光を射出する照明部と、を備え、前記照明部は、光源と、前記光源が取り付けられた回路基板と、を備え、且つ、前記前後方向において後側に進む向きに光を射出し、前記回路基板の前記光源が取り付けられた取付面は、前記後側を臨み、前記上下方向に沿って視て、前記取付面における前記左右方向の他方側の端部と前記開口部における前記左右方向の他方側の端部とを結ぶ第１仮想線の前記左右方向に対する傾きは、前記光源と前記開口部における前記左右方向の他方側の端部とを結ぶ第２仮想線の前記左右方向に対する傾き以下である。
【発明の効果】
【０００９】
本発明の一つの態様によれば、冷凍庫内が眩しくなり過ぎることを抑制しつつ、冷凍庫内を照らすことができる照明部を備える製氷機、およびそのような製氷機を備える冷凍庫が提供される。
【図面の簡単な説明】
【００１０】
【図１】図１は、第１実施形態の冷凍庫を示す斜視図である。
【図２】図２は、第１実施形態の製氷機を示す斜視図である。
【図３】図３は、第１実施形態の製氷機を示す斜視図である。
【図４】図４は、第１実施形態の冷凍庫の部分を模式的に示す平面図である。
【図５】図５は、第１実施形態の製氷機の部分を示す斜視図である。
【図６】図６は、第２実施形態の製氷機を示す斜視図である。
【図７】図７は、第２実施形態の照明部を示す平面図である。
【発明を実施するための形態】
【００１１】
以下の説明において、各図に示す３次元座標系において、Ｚ軸方向は、上下方向とし、Ｘ軸方向およびＹ軸方向は、Ｚ軸方向と直交し、且つ、互いに直交する水平方向とする。Ｚ軸方向において、正の側を「上側」とし、負の側を「下側」とする。また、Ｘ軸方向を「前後方向」と呼び、Ｙ軸方向を「左右方向」と呼ぶ。また、Ｘ軸方向において、正の側を「前側」とし、負の側を「後側」とする。また、Ｙ軸方向において、正の側を「右側」とし、負の側を「左側」とする。なお、上下方向、前後方向、および左右方向は、単に説明のために用いられる名称であって、実際の位置関係および方向を限定しない。  
【００１２】
＜第１実施形態＞  図１に示すように、本実施形態の冷凍庫１は、冷凍庫本体１０と、扉１１と、製氷機２０と、を備える。冷凍庫本体１０は、前後方向の前側に開口部１０ａを有する箱状である。開口部１０ａは、矩形状である。なお、図１では、冷凍庫本体１０の上端部を上下方向と直交する断面で示している。  
【００１３】
なお、本明細書において、「冷凍庫」とは、冷凍冷蔵庫の冷凍庫または、冷凍室を含んでいる。すなわち、本明細書において、「冷凍庫」とは、冷凍専用機に加えて、冷凍庫付き冷蔵庫、冷凍室付き冷蔵庫を含む。  
【００１４】
扉１１は、開口部１０ａを開閉可能である。扉１１は、開口部１０ａの右側において冷凍庫本体１０に取り付けられている。扉１１は、例えば、ヒンジを介して冷凍庫本体１０に取り付けられており、開閉可能となっている。なお、扉１１は、開口部１０ａの左側において冷凍庫本体１０に取り付けられていてもよいし、開口部１０ａの上側において冷凍庫本体１０に取り付けられていてもよいし、開口部１０ａの下側において冷凍庫本体１０に取り付けられていてもよい。  
【００１５】
製氷機２０は、冷凍庫１内、より詳細には冷凍庫本体１０内に配置可能で、電源が供給されることで製氷皿に注水された水を冷凍室の冷気によって凍結して氷を作り且つ氷を排出可能な製氷機である。なお、冷凍室とは、冷凍庫１の内部、すなわち冷凍庫本体１０の内部である。製氷機２０は、冷凍庫本体１０の内側面のうち、前後方向および上下方向の両方と直交する左右方向の一方側の側面１０ｂに取り付けられている。図１において側面１０ｂは、冷凍庫本体１０の内側面のうち、左右方向の左側の側面である。  
【００１６】
図２に示すように、製氷機２０は、製氷皿３０と、排氷機構部３１と、駆動部４０と、コネクタ７０と、センサ６０と、照明部５０と、を備える。製氷皿３０は、氷を製造する部分である。製氷皿３０は、上側に開口し、前後方向に長い略直方体の箱状である。製氷皿３０の内部は、前後方向に沿って複数の区画部３０ａに区画されている。各区画部３０ａには、水が供給される。各区画部３０ａに供給された水が凍らされることで、各区画部３０ａにおいて氷が製造される。これにより、製氷皿３０において氷が製造される。  
【００１７】
排氷機構部３１は、製氷皿３０から氷を取り出す部分である。排氷機構部３１は、排氷レバー軸３２と、複数の排氷レバー３３と、を備える。排氷レバー軸３２は、前後方向に延びる円柱状の軸である。排氷レバー軸３２の後側の端部は、製氷皿３０における後側の壁部の上端に、排氷レバー軸３２の軸周りに回転可能に接続されている。図３に示すように、排氷レバー軸３２の前側の端部は、駆動部４０に接続されている。排氷レバー軸３２は、駆動部４０によって、排氷レバー軸３２の軸周りに回転させられる。  
【００１８】
排氷レバー３３は、排氷レバー軸３２から径方向外側に延びる棒状である。複数の排氷レバー３３は、前後方向に沿って並んで配置されている。排氷レバー３３は、排氷レバー軸３２が回転することで、排氷レバー軸３２の軸周りに回転する。各排氷レバー３３は、回転する際に、各区画部３０ａ内を通る。  
【００１９】
駆動部４０は、製氷皿３０の前後方向の前側に取り付けられている。駆動部４０は、排氷機構部３１を駆動する。より詳細には、駆動部４０は、排氷レバー軸３２を軸周りに回転させる。本実施形態において駆動部４０は、排氷レバー軸３２を前側から視て時計回りの向きに回転させる。駆動部４０は、駆動部本体４２と、筐体４１と、を備える。  
【００２０】
駆動部本体４２は、排氷レバー軸３２を軸周りに回転させる。駆動部本体４２は、電動モータである。筐体４１は、駆動部本体４２を収容している。筐体４１は、矩形箱状である。筐体４１は、本体部４３と、蓋部４４と、を備える。  
【００２１】
本体部４３は、前側に開口する箱状である。駆動部本体４２は、本体部４３の内部に収容されている。本体部４３の後側の面の下部には、製氷皿３０の前側の壁部が固定されている。  
【００２２】
蓋部４４は、本体部４３の前側に取り付けられている。蓋部４４は、蓋部本体４４ａと、照明取付部４４ｂと、を備える。蓋部本体４４ａは、後側に開口する箱状である。蓋部本体４４ａは、本体部４３の前側の開口を覆っている。蓋部本体４４ａは、前後方向に沿って視て、本体部４３とほぼ重なっている。  
【００２３】
照明取付部４４ｂは、蓋部本体４４ａの右側の側面における前端から右側に突出している。照明取付部４４ｂは、蓋部本体４４ａの上端から下端まで、上下方向に延びている。図２に示すように、蓋部本体４４ａの前面と照明取付部４４ｂの前面とは、前後方向に直交する蓋部４４の前面、すなわち駆動部４０の前面を構成している。  
【００２４】
駆動部４０によって排氷機構部３１を駆動すると、排氷レバー軸３２が回転して、各排氷レバー３３が各区画部３０ａを通過する。これにより、区画部３０ａ内で製造された氷が、各排氷レバー３３によって区画部３０ａ内から押し出される。区画部３０ａ内から押し出された氷は、製氷機２０の下側に配置された図示しない氷貯蔵タンク内に落とされ貯蔵される。このようにして、製氷皿３０で製造された氷が、駆動部４０および排氷機構部３１によって取り出される。  
【００２５】
コネクタ７０は、ケーブルを介して駆動部４０から製氷皿３０の後側に引き出されている。コネクタ７０は、駆動部４０に電源を供給する外部電源に接続される。コネクタ７０が接続される外部電源は、冷凍庫１の電源である。  
【００２６】
センサ６０は、冷凍庫１の開閉状態を検出するセンサである。すなわち、センサ６０は、扉１１の開閉状態を検出する。センサ６０は、駆動部４０の前面に配置されている。センサ６０は、冷凍庫１の開閉状態を検出できるならば、特に限定されない。本実施形態においてセンサ６０は、赤外線センサである。図示は省略するが、センサ６０は、カバーを備える。センサ６０のカバーの材質は、例えば、高密度ポリエチレン、ポリプロピレン等である。なお、センサ６０は、温度センサおよび光検知センサ等であってもよい。  
【００２７】
照明部５０は、光を射出する部分である。図４に示すように、照明部５０は、前後方向において後側に進む向きに光を射出する。そのため、本実施形態の冷凍庫１のように、駆動部４０を開口部１０ａ側、製氷機２０の製氷皿３０を開口部１０ａと逆側として製氷機２０を冷凍庫内に配置した際に、照明部５０からの光が使用者に直接向かうことを抑制できる。これにより、冷凍庫１内が眩しくなり過ぎることを抑制しつつ、照明部５０によって冷凍庫１内を照らすことができる。したがって、使用者の利便性を向上させることができる。  
【００２８】
なお、本明細書において、「照明部は、前後方向において後側に進む向きに光を射出する」とは、使用者等が、照明部から射出される光を冷凍庫本体の外部から開口部を介して、直接視認できない、または、製氷機を前側から視た際に照明部から射出される光を直接視認できなければよい。すなわち、本明細書において、「照明部は、前後方向において後側に進む向きに光を射出する」とは、照明部から真後ろに向けて光が射出される場合に加えて、真後ろに進む向きに対して、左右方向、上下方向、あるいは左右方向および上下方向の両方に傾いた向きに進む光が照明部から射出される場合を含むが、その場合であっても冷凍庫本体の外部から開口部を介して光源から射出される光を直接視認できない。  
【００２９】
なお、「照明部から射出される光を直接視認できない」とは、照明部から射出された光が、他の部材に入射することなく
使用者の眼に入射することがないことを含む。すなわち、照明部から射出される光を直接視認できない場合であっても、照明部から射出された光が、他の部材によって反射あるいは屈折等されて、間接的に使用者の眼に入射することは許容される。  
【００３０】
また、本明細書においては、照明部から射出される光の一部は、前後方向において後側に進む向きの光でなくてもよい。本明細書においては、例えば、照明部から射出される光のうち、前後方向において後側に進む向きの光の光量が、前後方向において後側に進む向きでない光の光量よりも大きければよい。また、本明細書においては、例えば、照明部から射出される光の光軸の向きが、前後方向において後側に進む向きであればよい。  
【００３１】
なお、以下の説明においては、「前後方向において後側に進む向き」を、単に「後向き」と呼ぶ場合がある。  
【００３２】
本実施形態において照明部５０から射出される光の向きは、前後方向に対して傾いている。そのため、照明部５０から射出される光が真後ろに射出される場合に比べて、照明部５０から射出される光を左右方向に広げることができ、冷凍庫１内を広く照らしやすい。これにより、冷凍庫１内を好適に明るくすることができ、使用者の利便性をより向上できる。本実施形態において照明部５０から射出される光の光軸は、後方斜め右側に傾いている。  
【００３３】
照明部５０は、駆動部４０に設けられている。そのため、本実施形態の冷凍庫１のように、駆動部４０を開口部１０ａ側、製氷機２０の製氷皿３０を開口部１０ａと逆側として製氷機２０を冷凍庫内に配置した際に、照明部５０を開口部１０ａに近づけて配置できる。そのため、例えば、照明部５０が製氷皿３０に設けられる場合に比べて、照明部５０から後向きに射出される光が、冷凍庫１内の後側の壁に到達するまでの距離を長くできる。これにより、照明部５０から後ろ向きに射出された光が冷凍庫１内で広がりやすく、冷凍庫１内を広く照らしやすい。したがって、冷凍庫１内を好適に明るくすることができ、使用者の利便性をより向上できる。また、駆動部４０に供給される電源から照明部５０の電源供給を受けやすい。  
【００３４】
図３に示すように、照明部５０は、駆動部４０における前後方向に沿った側面４０ａに設けられている。そのため、照明部５０を後向きに光を射出する構成としやすい。また、本実施形態の冷凍庫１のように、冷凍庫本体１０内の側面１０ｂに製氷機２０を取り付けた際に、照明部５０から後方斜め左右方向に光を射出することで、左右方向においても広く冷凍庫１内を照らすことができる。したがって、冷凍庫１内をより好適に明るくすることができ、使用者の利便性をより向上できる。  
【００３５】
本実施形態において側面４０ａは、駆動部４０における右側の側面である。より詳細には、側面４０ａは、筐体４１における右側の側面である。照明部５０は、側面４０ａのうち蓋部本体４４ａの右側の側面に設けられている。また、本実施形態の冷凍庫１のように、駆動部４０を開口部１０ａ側、製氷機２０の製氷皿３０を開口部１０ａと逆側として製氷機２０を冷凍庫内に配置した際に、照明部５０をより開口部１０ａに近づけて配置できる。したがって、冷凍庫１内をより好適に明るくすることができ、使用者の利便性をより向上できる。  
【００３６】
照明部５０は、照明取付部４４ｂの後側に配置されている。図５に示すように、照明部５０は、基板固定部５５と、回路基板５１と、光源５２と、を備える。図３に示すように、照明部５０は、カバー５３を備える。図５においては、カバー５３の図示を省略している。図５に示すように、基板固定部５５は、照明取付部４４ｂの後側の面と側面４０ａとに固定されている。基板固定部５５は、回路基板５１を保持している。  
【００３７】
回路基板５１は、上下方向に長い長方形板状である。回路基板５１は、基板固定部５５を介して蓋部４４に固定されている。回路基板５１は、照明取付部４４ｂの後側に位置している。回路基板５１の全体は、前後方向に沿って視て、照明取付部４４ｂと重なっている。  
【００３８】
回路基板５１には、光源５２が取り付けられている。回路基板５１の光源５２が取り付けられた取付面５１ａは、後側を臨んでいる。そのため、光源５２を回路基板５１の取付面５１ａに取り付けることによって、照明部５０から前後方向において後側に進む向きに光を射出できる。また、光源５２からの光が前側に漏れるような場合にも、回路基板５１によって光が遮断され、照明部５０からの光が使用者に直接向かうことをより抑制できる。これにより、冷凍庫１内が眩しくなり過ぎることをより抑制できる。  
【００３９】
なお、本明細書において、「取付面は、後側を臨む」とは、後側から視て取付面の少なくとも一部が視認可能であればよい。本実施形態において取付面５１ａは、前後方向と直交する平面に対して傾いている。そのため、光源５２を回路基板５１の取付面５１ａに取り付けることによって、照明部５０から前後方向に傾いた後向きに光を射出できる。本実施形態において取付面５１ａは、後方斜め右側を向いている。  
【００４０】
光源５２は、発光ダイオードである。光源５２は、複数設けられている。図５では、光源５２は、４つ設けられている。複数の光源５２は、前後方向と直交する上下方向に間隔を空けて配置されている。例えば、複数の光源が一箇所にまとめて配置される場合、一箇所から複数の光源の光がまとめて射出され、複数の光源がまとめて配置された箇所が局所的に明るくなる。そのため、使用者が照明部から射出される光を眩しく感じる場合があった。また、複数の光源が一箇所にまとめて配置されると光源の発熱量が局所的に大きくなって、光源が高温となる場合がある。光源が発光ダイオードの場合、高温となることで発光量が低下し、十分な光量が得られなくなる場合があった。  
【００４１】
これに対して、本実施形態によれば、複数の光源５２を上下方向に間隔を空けて配置することで、照明部５０から射出される光を上下方向に分散できる。そのため、照明部５０の一部が局所的に明るくなることを抑制でき、使用者が眩しく感じることを抑制できる。  
【００４２】
また、複数の光源５２が間隔を空けて配置されることで、回路基板５１における各光源５２同士の間に、光源５２のランドおよびベタ配線等を設けることができる。これにより、例えば、ランドおよびベタ配線等の材質を銅箔とすることで、光源５２の放熱性を向上できる。したがって、光源５２が高温となることを抑制でき、光源５２の光量が低下することを抑制できる。本実施形態においては、回路基板５１の取付面５１ａにおける光源５２同士の間と、最も上側の光源５２の上側と、最も下側の光源５２の下側とに、銅箔のベタ配線５２ａが設けられている。  
【００４３】
また、本実施形態においては、複数の光源５２が上下方向に間隔を空けて配置されるため、複数の光源５２が左右方向に間隔を空けて配置される場合に比べて、製氷機２０が左右方向に大型化することを抑制できる。また、複数の光源５２が前後方向に間隔を空けて配置される場合に比べて、各光源５２の位置を開口部１０ａに近づけやすく、冷凍庫１内を好適に明るく照らしやすい。  
【００４４】
図３に示すように、カバー５３は、照明取付部４４ｂの後側に固定されている。カバー５３は、上下方向に延びる板状部材である。カバー５３は、基板固定部５５と、回路基板５１と、光源５２と、を後側から覆っている。カバー５３は、光源５２から射出される光を透過させる性質を有している。本実施形態において照明部５０から射出される光とは、カバー５３から製氷機２０の外部に向けて射出される光である。すなわち、本実施形態においてカバー５３から射出される光は、後向きに射出される。  
【００４５】
本実施形態において、照明部５０と開口部１０ａとの配置関係は、所定の配置関係を有している。図４に示すように、上下方向に沿って視て、取付面５１ａにおける右側の端部と開口部１０ａにおける右側の端部とを結ぶ仮想線を、第１仮想線Ｃ１とする。光源５２と開口部１０ａにおける右側の端部とを結ぶ仮想線を、第２仮想線Ｃ２とする。  
【００４６】
なお、取付面５１ａにおける右側の端部とは、取付面５１ａにおける製氷機２０が取り付けられる側面１０ｂと逆側の端部であり、取付面５１ａにおける左右方向の他方側の端部に相当する。開口部１０ａにおける右側の端部とは、開口部１０ａにおける製氷機２０が取り付けられる側面１０ｂと逆側の端部であり、開口部における左右方向の他方側の端部に相当する。  
【００４７】
第１仮想線Ｃ１の左右方向に対する傾きθ１は、第２仮想線Ｃ２の左右方向に対する傾きθ２以下である。この関係が満たされる場合、使用者は、冷凍庫本体１０の外部から開口部１０ａを介して光源５２を視認できない。そのため、使用者の眼に光源５２の光が直接入ることを抑制でき、使用者が眩しく感じることを抑制できる。図４では、第１仮想線Ｃ１の左右方向に対する傾きθ１は、第２仮想線Ｃ２の左右方向に対する傾きθ２よりも小さい。  
【００４８】
照明部５０は、センサ６０によって冷凍庫１が開状態であることが検出された場合に光を射出する。そのため、使用者が冷凍庫１内を視認する際等の必要に応じて、照明部５０による光の射出を好適に制御できる。これにより、照明部５０に必要な電力を省電力化できる。本実施形態においてセンサ６０は、人間の動きを検出した際に、冷凍庫１が開状態であることを検出する。  
【００４９】
本実施形態において照明部５０は、例えば、センサ６０によって冷凍庫１が開状態であることが所定時間検出されてから、光を射出する。センサ６０を赤外線センサとした場合、駆動部４０から生じる誘導起電力によってセンサ６０が反応し、冷凍庫１の状態が開状態であると誤検出される場合がある。ここで、誘導起電力が生じる時間は、わずかな時間である。そのため、誘導起電力が生じる時間よりも長い所定時間の間、連続して冷凍庫１が開状態であることが検出された場合に照明部５０が光を射出する構成とすることで、冷凍庫１の状態が誤検出されることを抑制できる。  
【００５０】
本発明は上述の実施形態に限られず、他の構成を採用することもできる。以下の説明において上記説明と同様の構成については、適宜同一の符号を付す等により説明を省略する場合がある。  
【００５１】
照明部５０の配置箇所は、照明部５０から後向きに光を射出できるならば、特に限定されない。照明部５０は、蓋部４４の下面に設けられてもよいし、蓋部４４の上面に設けられてもよい。また、照明部５０は、筐体４１の本体部４３に設けられてもよいし、製氷皿３０に設けられていてもよい。  
【００５２】
また、光源５２の数は、１つ以上、３つ以下であってもよいし、５つ以上であってもよい。複数の光源５２から射出される光の向きは、互いに異なっていてもよい。複数の光源５２は、１箇所にまとめて配置されてもよい。  
【００５３】
また、光源５２の種類は、特に限定されず、発光ダイオード以外の光源であってもよい。光源５２は、例えば、レーザー光源およびランプ光源等であってもよい。光源５２の種類によっては、回路基板５１が設けられていなくてもよい。  
【００５４】
＜第２実施形態＞  図６に示すように、本実施形態の製氷機１２０において、駆動部１４０の蓋部１４４は、照明取付部４４ｂを備えていない点において、第１実施形態の蓋部４４と異なる。蓋部１４４は、蓋部１４４の右側の側面から左側に窪む照明取付凹部１４４ｃを有する。照明取付凹部１４４ｃは、右側から視て、上下方向に長い長方形状である。照明取付凹部１４４ｃは、蓋部１４４の右側の側面の前端に設けられ、前側に開口している。  
【００５５】
照明部１５０は、照明取付凹部１４４ｃに配置されている。図７に示すように、回路基板１５１は、左右方向と直交して配置されている。すなわち、回路基板１５１において、光源５２が取り付けられた取付面１５１ａは、前後方向に沿って配置されている。そのため、照明部１５０において回路基板１５１が占める左右方向の割合を小さくできる。取付面１５１ａに取り付けられた光
源５２からは、右側に光が射出される。  
【００５６】
照明部１５０は、光源５２から射出される光が入射される光学部材１５３を備える。光学部材１５３は、光源５２から射出される光を透過させる性質を有している。光学部材１５３は、前側カバー部１５３ａと、右側カバー部１５３ｂと、光屈折部１５４と、を備える。  
【００５７】
前側カバー部１５３ａは、前後方向と直交する平面に沿って拡がる板状である。図６に示すように、前側カバー部１５３ａの前側から視た形状は、上下方向に長い長方形状である。前側カバー部１５３ａの前面は、蓋部１４４の前面と、ほぼ同一平面上に配置されている。  
【００５８】
右側カバー部１５３ｂは、前側カバー部１５３ａの右側の端部から後側に延びる板状である。右側カバー部１５３ｂの右側から視た形状は、上下方向に長い長方形状である。右側カバー部１５３ｂの右側の面は、蓋部１４４の右側の面と、ほぼ同一平面上に配置されている。  
【００５９】
図７に示すように、光屈折部１５４は、右側カバー部１５３ｂの左側の面に設けられている。光屈折部１５４は、右側カバー部１５３ｂから左側に突出し前後方向に沿って並ぶ複数の凸部から構成されている。各凸部は、上下方向に延びている。光屈折部１５４は、フレネルレンズの一部である。すなわち、光学部材１５３は、フレネルレンズの少なくとも一部を含んでいる。より詳細には、本実施形態において光屈折部１５４は、リニアフレネルレンズの一部である。  
【００６０】
光学部材１５３には、光源５２から射出された光が入射される。より詳細には、光屈折部１５４には、光源５２から射出された光が入射される。光屈折部１５４に入射された光は、屈折ないし反射して、後向きに射出される。これにより、光学部材１５３は、入射した光を前後方向において後側に進む向きに射出する。  
【００６１】
このように、本実施形態によれば、光学部材１５３によって、光源５２から射出された光の向きを後向きに変化させることができる。そのため、回路基板１５１および光源５２の配置の自由度を向上させることができる。また、光学部材１５３は、フレネルレンズの少なくとも一部を含むため、フレネルレンズによって入射した光を好適に後向きに射出できる。  
【００６２】
なお、光学部材１５３の構成は、光源５２から入射した光を後向きに射出できるならば、特に限定されない。光屈折部１５４は、光を後向きに屈折させて射出できるならば、特に限定されず、フレネルレンズの一部でなくてもよい。光学部材１５３は、光屈折部１５４の代わりに、入射した光を後向きに反射する光反射部を有していてもよい。光学部材１５３は、光屈折部１５４のみで構成されていてもよいし、光反射部のみで構成されていてもよい。  
【００６３】
上記の各構成は、相互に矛盾しない範囲内において、適宜組み合わせることができる。
【符号の説明】
【００６４】
１…冷凍庫、１０…冷凍庫本体、１０ａ…開口部、１１…扉、２０，１２０…製氷機、３０…製氷皿、３１…排氷機構部、４０，１４０…駆動部、５０，１５０…照明部、５１，１５１…回路基板、５１ａ，１５１ａ…取付面、５２…光源、６０…センサ、１５３…光学部材、Ｃ１…第１仮想線、Ｃ２…第２仮想線
【図１】
2017213141.tif 000003
【図２】
2017213141.tif 000004
【図３】
2017213141.tif 000005
【図４】
2017213141.tif 000006
【図５】
2017213141.tif 000007
【図６】
2017213141.tif 000008
【図７】
2017213141.tif 000009
【国際調査報告】
2017213141.tif 000010
2017213141.tif 000011
2017213141.tif 000012
2017213141.tif 000013